(57)【要約】      （修正有）【課題】ユーザにとっての利便性を向上させることができる新たな構成のヘッドセットを提供する。【解決手段】ヘッドセット１００の構成として、本体部２００と；本体部２００を着脱自在に保持するケース２９０と；を備え、本体部は、ブルートゥース（登録商標）通信のシリアル・ポート・プロファイルを利用して、外部装置との間で、プッシュ・トゥ・トーク方式に従ったモーメンタリ動作での音声データの送受信を行う通信処理ユニット２１０と；一端側が通信処理ユニット２１０に電気的接続され、他端側には、オプションユニット接続用コネクタ２３０L，２３０Rが接続された２つの本体配線ユニット２２０L，２２０Rと；通信処理ユニット２１０、及び、必要に応じてオプションユニット３００E、３００M、３００P、３００Cに動作電力を供給する充電可能なバッテリユニットと；を備える構成を採用する。【選択図】図１
0003210457.tif 000002
【実用新案登録請求の範囲】
【請求項１】
本体部と；
前記本体部を着脱自在に保持するケースと；を備え、
前記本体部は、
ブルートゥース（登録商標）通信のシリアル・ポート・プロファイルを利用して、外部装置との間で、プッシュ・トゥ・トーク方式に従ったモーメンタリ動作での音声データの送受信を行う通信処理ユニットと；
一端側が前記通信処理ユニットに電気的接続され、他端側には、オプションユニット接続用コネクタが接続された２つの本体配線ユニットと；
前記通信処理ユニット及びオプションユニットに動作電力を供給する充電可能なバッテリユニットと；を備える
ことを特徴とするヘッドセット。
【請求項２】
前記オプションユニットは、
オプション機能ユニットと；
一端側が前記オプション機能ユニットに電気的接続され、他端側には、前記オプションユニット接続用コネクタに着脱自在に嵌め込み可能な本体接続用コネクタが接続されたオプション配線ユニットと；を備え、
前記本体接続用コネクタが前記オプションユニット接続用コネクタに嵌め込まれている状態では、前記オプション機能ユニットが、前記本体部と電気的に接続される、
ことを特徴とする請求項１に記載のヘッドセット。
【請求項３】
前記オプション機能ユニットは、イヤフォン機能ユニット、マイクロフォン機能ユニット若しくは充電源接続機能ユニット、又は、これらの組み合わせである、ことを特徴とする請求項２に記載のヘッドセット。
【請求項４】
前記本体部は、
前記通信処理ユニットの動作モードの設定入力が行われる入力部と；
前記通信処理ユニットの動作モードを表示する表示部と；
を更に備えることを特徴とする請求項１〜３のいずれか一項に記載のヘッドセット。
【請求項５】
前記入力部は、１つの押下スイッチを備え、
前記表示部は、１つの２色ＬＥＤを備え、
前記通信処理ユニットは、
前記押下スイッチの押下時間と押下回数との組み合わせに応じて、前記動作モードが変化し、
前記動作モードが変化したことを、前記２色ＬＥＤの点灯色と点滅回数との組み合わせによって表示する、
ことを特徴とする請求項４に記載のヘッドセット。
【請求項６】
前記通信処理ユニットは、曲率半径が人の首回りの半径に対応した値の曲板状の外形を有する、ことを特徴とする請求項１〜５のいずれか一項に記載のヘッドセット。
【考案の詳細な説明】
【技術分野】
【０００１】
本考案は、ヘッドセットに係り、特に、外部装置と無線通信を行うワイヤレスヘッドセットに関する。
【背景技術】
【０００２】
従来から、スピーカ及びマイクロフォンを備えるワイヤレスヘッドセットが使用されている。こうしたワイヤレスヘッドセットに関する技術として、ブルートゥース（登録商標；以下、「ＢＴ」と記す）通信を利用して、単信（半二重）方式で音声データ通信を行うヘッドセット（スピーカマイク）の技術が提案されている（特許文献１参照；以下、「従来例」という）。
【０００３】
この従来例のヘッドセットの技術では、プッシュ・トゥ・トーク（ＰＴＴ：Push to Talk）スイッチを備え、当該ＰＴＴスイッチの操作に応じて、ＢＴ通信を利用した音声データの外部装置からの受信、及び、受信した音声データに応じた音声のスピーカからの出力を行うようになっている。また、従来例のヘッドセットでは、当該ＰＴＴスイッチの操作に応じて、マイクロフォンにより集音した音声に応じた音声データを、ＢＴ通信を利用して、外部装置へ送信するようになっている。
【０００４】
なお、従来例においては、ＢＴ通信のハンズフリー・プロファイル（ＨＦＰ：Hands-Free Profile）を採用することが例示されている。
【先行技術文献】
【特許文献】
【０００５】
【特許文献１】特開２０１５−１８５９６６号公報
【考案の概要】
【考案が解決しようとする課題】
【０００６】
上述した従来例の技術には、ヘッドセットの内部の論理構成が開示されているのみであり、その他の構成は開示されていない。例えば、ワイヤレスであるが故に、内蔵バッテリからの動作電力の供給が必須となるが、内蔵バッテリへ簡易に充電するための構成は開示されていない。また、片耳聴取構成と両耳聴取構成とを適宜変更できる構成は開示されていない。こうしたことを実現できる構成を組むことができれば、ユーザの利便性を向上させることができる。
【０００７】
本考案は、上記の事情を鑑みてなされたものであり、ユーザにとっての利便性を向上させることができる新たな構成のヘッドセットを提供することを目的とする。
【課題を解決するための手段】
【０００８】
本考案のヘッドセットは、本体部と；前記本体部を着脱自在に保持するケースと；を備え、前記本体部は、ＢＴ通信のシリアル・ポート・プロファイルを利用して、外部装置との間で、プッシュ・トゥ・トーク方式に従ったモーメンタリ動作での音声データの送受信を行う通信処理ユニットと；一端側が前記通信処理ユニットに電気的接続され、他端側には、オプションユニット接続用コネクタが接続された２つの本体配線ユニットと；前記通信処理ユニット及びオプションユニットに動作電力を供給する充電可能なバッテリユニットと；を備えることを特徴とするヘッドセットである。
【０００９】
本考案のヘッドセットでは、本体部が備える通信処理ユニットが、ＰＴＴ方式に従ったモーメンタリ動作での音声データの送受信機能を有し、ヘッドセットとの間でペアリングが確立された外部装置との間で、ＢＴ通信のシリアル・ポート・プロファイル（ＳＰＰ）を利用して、音声データの送受信のための無線通信を行う。このため、簡易な構成で、ＰＴＴ方式と同等の動作での音声データの送受信を外部装置との間で行うことができる。
【００１０】
また、本考案のヘッドセットは、一端側が前記通信処理ユニットに電気的接続され、他端側には、オプションユニット接続用コネクタが接続された２つの本体配線ユニットを備える。ここで、オプションユニット接続用コネクタを利用して接続されるオプションユニットは、オプション機能ユニットと；一端側が前記オプション機能ユニットに電気的接続され、他端側には、前記オプションユニット接続用コネクタに着脱自在に嵌め込み可能な本体接続用コネクタが接続されたオプション配線ユニットと；を備え、前記本体接続用コネクタが前記オプションユニット接続用コネクタに嵌め込まれている状態では、前記オプション機能ユニットが、前記本体部と電気的に接続される構成とすることができる。この場合には、最大２つの任意のオプションユニットを本体部に接続することができる。このため、最大２つの任意のオプションユニットを選んで本体部に接続することにより、利用者の用途にあった様々な態様のヘッドセットを構築することができる。
【００１１】
前記オプション機能ユニットとしては、イヤフォン機能ユニット、マイクロフォン機能ユニット若しくは充電源接続機能ユニット、又は、これらの組み合わせが挙げられる。本体部に接続する一のオプションユニットとして、イヤフォン機能ユニットを有するイヤフォンユニットを選択し、他のオプションユニットとして、マイクロフォン機能ユニットを有するマイクロフォンユニットを選択した場合には、標準的なスピーカマイクの構成を実現することができる。
【００１２】
また、本体部に接続するオプションユニットとして、充電源接続機能ユニットを有する充電源接続ユニットを選択すれば、バッテリユニットへの充電を行うことができる。さらに、本体部に接続する一のオプションユニットとして、イヤフォンユニットを選択し、他のオプションユニットとして、イヤフォン機能ユニット及びマイクロフォン機能ユニットの双方を有する複合ユニットを選択した場合には、両耳聴取のスピーカマイクの構成を実現することができる。
【００１３】
また、本考案のヘッドセットでは、前記本体部が、前記通信処理ユニットの動作モードの設定入力が行われる入力部と；前記通信処理ユニットの動作モードを表示する表示部と；を更に備える構成とすることができる。この場合には、表示部による動作モードの表示を確認しながら、入力部を操作することにより、通信処理ユニットの動作モードを設定することができる。
【００１４】
ここで、前記入力部は、１個の押下スイッチを備え、前記表示部は、１個の２色ＬＥＤを備え、前記通信処理ユニットが、前記押下スイッチの押下時間と押下回数との組み合わせに応じて、前記動作モードが変化し、前記動作モードが変化したことを、前記２色ＬＥＤの点灯色と点滅回数との組み合わせによって表示する構成とすることができる。この場合には、入力部及び表示部を最小限の要素により構成しつつ、ヘッドセットとして必要な動作モードの設定を行えるようにすることができるとともに、入力部への誤操作を防止することができる。
【００１５】
また、本考案のヘッドセットでは、前記通信処理ユニットが、曲率半径が人の首回りの半径に対応した値の曲板状の外形を有する構成とすることができる。この場合には、本体部をケースに保持した状態で、ユーザが装着することもできるし、ケースを用いずに、本体部をユーザのワイシャツ等の襟下に装着するようにすることができる。
【考案の効果】
【００１６】
以上説明したように、本考案のヘッドセットによれば、ユーザにとっての利便性を向上できる効果を奏する。
【図面の簡単な説明】
【００１７】
【図１】本考案の一実施形態に係るヘッドセットの構成要素を説明するための図である。
【図２】図１の本体部をケースに保持した状態を説明するための斜視図である。
【図３】図１の本体部の内部構成を説明するためのブロック構成図である。
【図４】図１のイヤフォンユニットの構成を説明するための図である。
【図５】図１のマイクロフォンユニットの構成を説明するための図である。
【図６】図１の充電源接続ユニットの構成を説明するための図である。
【図７】図１の複合ユニットの構成を説明するための図である。
【図８】本体部とオプションユニットとの組み合わせ例（その１）を示す図である。
【図９】本体部とオプションユニットとの組み合わせ例（その２）を示す図である。
【図１０】本体部とオプションユニットとの組み合わせ例（その３）を示す図である。
【考案を実施するための形態】
【００１８】
以下、本考案の一実施形態について、図１〜図１０を参照して説明する。なお、図面においては、同一又は同等の要素には同一の符号を付し、重複する説明についてはこれを省略する。
【００１９】
[構成]
図１には、本考案の一実施形態であるヘッドセット１００の構成要素が示されている。この図１に示されるように、ヘッドセット１００は、本体部２００と、ケース２９０とを備えている。また、ヘッドセット１００は、本体部２００と接続可能なオプションユニットとして、イヤフォンユニット３００Eと、マイクロフォンユニット３００Mと、充電源接続ユニット３００Pと、複合ユニット３００Cとを備えている。
【００２０】
以下、イヤフォンユニット３００E、マイクロフォンユニット３００M、充電源接続ユニット３００P及び複合ユニット３００Cを総称する場合には、「オプションユニット３００」と記すものとする。
【００２１】
上記の本体部２００は、通信処理ユニット２１０と、本体配線ユニット２２０L，２２０Rと、オプションユニット接続用コネクタ（以下、「雌コネクタ」ともいう）２３０L，２３０Rとを備えている。ここで、本体配線ユニット２２０Lの一端側は通信処理ユニット２１０と接続され、本体配線ユニット２２０Lの他端側は雌コネクタ２３０Lと接続されている。また、本体配線ユニット２２０Rの一端側は通信処理ユニット２１０と接続され、本体配線ユニット２２０Rの他端側は雌コネクタ２３０Rと接続されている。
【００２２】
また、本体部２００は、入力部２５０を備えている。本実施形態では、入力部２５０は、１個の押下スイッチにより構成されている。
【００２３】
また、本体部２００は、後述する図２（Ｂ）に示されるように、表示部２６０を備えている。本実施形態では、１個の２色（赤及び青）ＬＥＤにより構成されている。
【００２４】
上記の通信処理ユニット２１０は、曲率半径が人の首回りの半径に対応した値の曲板状の外形を有している。また、上記の本体配線ユニット２２０L，２２０Rは、金属配線部材がプラスチック等の絶縁部材により被覆されており、曲げに対して柔軟性を有する構成となっている。また、上記の雌コネクタ２３０L，２３０Rは、本実施形態では、４極コネクタとなっている。
【００２５】
上記のケース２９０は、本体部２００を着脱自在に嵌め込み可能であり、本体部２００を保持できるようになっている。ケース２９０は、可撓性を有する樹脂の成型品であり、想定される人の首の外径よりもある程度大きな曲率半径を有する馬蹄形となっている。
【００２６】
本体部２００がケース２９０に保持された状態の外観構成が、図２（Ａ）及び図２（Ｂ）に示されている。なお、本体部２００がケース２９０に嵌め込まれて形成されたものを、「組立体４００」と記すものとする。
【００２７】
組立体４００は、例えば、人の首回りに装着可能となっている。なお、上述したように、通信処理ユニット２１０は、曲率半径が人の首回りの半径に対応した値の曲板状の外形を有しているので、ケース２９０を用いずに、本体部２００をユーザのワイシャツ等の襟下に装着するようにすることもできる。
【００２８】
＜本体部２００の構成＞
図３には、本体部２００の内部における接続関係が示されている。この図３に示されるように、雌コネクタ２３０L，２３０Rは、それぞれが、端子Ｐ１，Ｐ２，Ｐ３，Ｐ４を有している。
【００２９】
また、本体部２００の通信処理ユニット２１０は、ＢＴ通信部２１１と、制御部２１２とを備えている。また、本体部２００は、バッテリユニット２４０を更に備えている。
【００３０】
上記のＢＴ通信部２１１は、制御部２１２による制御のもとで、外部装置との間でＢＴ通信を行う。ＢＴ通信により音声データを受信すると、ＢＴ通信部２１１は、受信音声データＲＳＤとして制御部２１２へ送る。また、制御部２１２からの送信音声データＳＤＤを受けると、その送信音声データＳＤＤに対応する音声データを、ＢＴ通信により外部装置へ送信する。
【００３１】
上記の制御部２１２は、中央処理装置（ＣＰＵ：Central Processing Unit）、記憶素子等を備えて構成されている。そして、制御部２１２は、記憶素子に格納されたプログラムを実行することにより、入力部２５０からの入力操作信号ＩＰＳに応じた制御処理を行う。
【００３２】
こうした制御部２１２による制御処理には、バッテリ制御信号ＢＣＳの発行によるバッテリユニット２４０からの給電のＯＮ／ＯＦＦ制御処理が含まれる。なお、図示を省略しているが、バッテリユニット２４０から制御部２１２へは、常時、動作電力が給電されるようになっている。
【００３３】
また、制御部２１２による制御処理には、ＢＴ通信部２１１を利用した、一の外部装置とのペアリング確立処理が含まれる。なお、当該一の外部装置とのペアリングが確立すると、制御部２１２は、ＢＴ通信のＳＰＰを利用して、ＰＴＴ方式に従ったモーメンタリ動作（以下、単に「模擬ＰＴＴ動作」という）で音声データの送受信のための無線通信制御処理を行う。
【００３４】
さらに、制御部２１２は、模擬ＰＴＴ動作中に受信音声データＲＳＤをＢＴ通信部２１１から受けると、当該受信音声データＲＳＤに対応する出力音声信号ＡＯＤを生成する。そして、制御部２１２は、生成された出力音声信号ＡＯＤを、本体配線ユニット２２０L，２２０Rを介して、雌コネクタ２３０L，２３０Rの双方の端子Ｐ２へ供給する。
【００３５】
また、制御部２１２は、模擬ＰＴＴ動作中に入力音声信号ＡＩＤが雌コネクタ２３０L，２３０Rのいずれかの端子Ｐ３及び本体配線ユニット２２０L，２２０Rを介して入力すると、当該入力音声信号ＡＩＤに対応する送信音声データＳＤＤを生成する。そして、制御部２１２は、生成された送信音声データＳＤＤをＢＴ通信部２１１へ送る。
【００３６】
また、制御部２１２は、動作状態を表示するために、各時点の動作状態を示す表示信号ＤＳＳを生成する。そして、制御部２１２は、生成された表示信号ＤＳＳを表示部２６０へ送る。
【００３７】
上記のバッテリユニット２４０は、充電可能な蓄電池を備えて構成されている。そして、バッテリユニット２４０は、制御部２１２による制御のもとで、動作電力の給電を行う。なお、上述したように、バッテリユニット２４０は、制御部２１２へは、常時、動作電力を給電するようになっている。
【００３８】
また、本体部２００に接続されたオプションユニット３００への動作電力の供給が必要な場合に、オプションユニット３００に給電を行うため、バッテリユニット２４０の接地端子（ＧＮＤ）が、本体配線ユニット２２０L，２２０Rを介して、雌コネクタ２３０L，２３０Rの双方の端子Ｐ４に接続されている。また、バッテリユニット２４０の電力供給端子（ＶＤＤ）が、本体配線ユニット２２０L，２２０Rを介して、雌コネクタ２３０L，２３０Rの双方の端子Ｐ１に接続されている。
【００３９】
なお、バッテリユニット２４０は、雌コネクタ２３０L，２３０Rのいずれかの端子Ｐ１と端子Ｐ４との間に所定の充電電圧が外部から印加されると、内部への充電を行うようになっている。
【００４０】
上記の表示部２６０は、制御部２１２から送られた表示信号ＤＳＳを受ける。そして、表示部２６０は、表示信号ＤＳＳに従って、指定された点灯色での点灯又は滅灯を行う。
【００４１】
＜イヤフォンユニット３００Eの構成＞
上記のイヤフォンユニット３００Eは、図４（Ａ）に示されるように、イヤフォン機能ユニット３１０Eと、オプション配線ユニット３２０Eと、本体接続用コネクタ（以下、「雄コネクタ」とも呼ぶ）３３０とを備えている。
【００４２】
上記のオプション配線ユニット３２０Eは、金属配線部材がプラスチック等の絶縁部材により被覆されており、曲げに対して柔軟性を有する構成となっている。また、上記の雄コネクタ３３０は、本実施形態では、４極コネクタであり、上述した雌コネクタ２３０L，２３０Rのいずれにも嵌め込むことができるようになっている。
【００４３】
上記の雄コネクタ３３０は、図４（Ｂ）に示されるように、端子Ｊ１，Ｊ２，Ｊ３，Ｊ４を有している。この雄コネクタ３３０が、雌コネクタ２３０L，２３０Rのいずれかに嵌め込まれた状態では、雄コネクタの端子Ｊk（ｋ＝１〜４）と、雌コネクタ２３０L又は雌コネクタ２３０Rの端子Ｐkと電気的に接続するようになっている。
【００４４】
なお、こうしたコネクタ間の電気的な接続関係は、後述するマイクロフォンユニット３００M、充電源接続ユニット３００P及び複合ユニット３００Cの場合も同様である。
【００４５】
上記のイヤフォン機能ユニット３１０Eは、図４（Ｂ）に示されるように、スピーカＳＰを備えて構成されている。このスピーカＳＰは、接地用端子と、出力音声信号入力端子とを備えている。
【００４６】
そして、スピーカＳＰの接地用端子が、オプション配線ユニット３２０Eを介して、雄コネクタ３３０の端子Ｊ４と接続されている。また、スピーカＳＰの出力音声信号入力端子が、オプション配線ユニット３２０Eを介して、雄コネクタ３３０の端子Ｊ２と接続されている。
【００４７】
このため、雄コネクタ３３０が、雌コネクタ２３０L，２３０Rのいずれかに嵌め込まれた状態で、本体部２００から送られた出力音声信号ＡＯＤを受けると、出力音声信号ＡＯＤに対応する音声が、スピーカＳＰから出力される。
【００４８】
＜マイクロフォンユニット３００Mの構成＞
上記のマイクロフォンユニット３００Mは、図５（Ａ）に示されるように、マイクロフォン機能ユニット３１０Mと、オプション配線ユニット３２０Mと、雄コネクタ３３０とを備えている。なお、マイクロフォン機能ユニット３１０Mには、衣服等に装着する際に便宜なクリップ部ＣＬが設けられている。
【００４９】
上記のオプション配線ユニット３２０Mは、金属配線部材がプラスチック等の絶縁部材により被覆されており、曲げに対して柔軟性を有する構成となっている。
【００５０】
上記のマイクロフォン機能ユニット３１０Mは、図５（Ｂ）に示されるように、マイクロフォンＭＣを備えている。このマイクロフォンＭＣは、接地用端子と、動作電力の受電用端子と、入力音声信号出力端子とを備えている。
【００５１】
また、マイクロフォン機能ユニット３１０Mは、図５（Ａ），（Ｂ）により総合的に示されるように、スイッチＳＷを備えている。このスイッチＳＷは、利用者が押下操作をすれば、閉塞状態となり、スイッチＳＷの両端子が電気的な接続状態となる。一方、利用者が押下操作を止めれば、開放状態となり、スイッチＳＷの両端子が電気的な非接続状態となる。
【００５２】
なお、本実施形態では、マイクロフォン機能ユニット３１０Mは、ノイズキャンセル機能を有しており、工場内のノイズ音が存在する環境下においても、ユーザの音声を有効に集音することができるようになっている。
【００５３】
そして、マイクロフォンＭＣの接地用端子が、オプション配線ユニット３２０Mを介して、雄コネクタ３３０の端子Ｊ４と接続されている。また、マイクロフォンＭＣの受電用端子が、オプション配線ユニット３２０Mを介して、雄コネクタ３３０の端子Ｊ１と接続されている。また、マイクロフォンＭＣの入力音声信号出力端子が、スイッチＳＷ及びオプション配線ユニット３２０Mを介して、雄コネクタ３３０の端子Ｊ３と接続されている。
【００５４】
このため、雄コネクタ３３０が、雌コネクタ２３０L，２３０Rのいずれかに嵌め込まれた状態では、利用者がスイッチＳＷの押下操作をしている期間には、マイクロフォンＭＣにより集音された音声に対応する入力音声信号ＡＩＤが、本体部２００へ送られる。一方、雄コネクタ３３０が、雌コネクタ２３０L，２３０Rのいずれかに嵌め込まれた状態であっても、利用者がスイッチＳＷの押下操作をしない期間にマイクロフォンＭＣにより集音された音声に対応する入力音声信号ＡＩＤは、本体部２００へ送られない。
【００５５】
なお、本実施形態では、通信処理ユニット２１０の制御部２１２は、スイッチＳＷの押下中であるか否かを、インピーダンスの相違により検出できるようになっている。そして、制御部２１２は、スイッチＳＷの押下中には、外部装置へ音声データを送信するための無線通信制御処理を行うようになっている。一方、制御部２１２は、スイッチＳＷの押下中ではない期間には、外部装置から音声データを受信するための無線通信制御処理を行うようになっている。
【００５６】
＜充電源接続ユニット３００Pの構成＞
上記の充電源接続ユニット３００Pは、図６（Ａ）に示されるように、充電源接続機能ユニット３１０Pと、オプション配線ユニット３２０Pと、雄コネクタ３３０とを備えている。ここで、充電源接続機能ユニット３１０Pは、充電源の給電用コネクタと接続可能な受電コネクタを備えて構成されている。
【００５７】
上記のオプション配線ユニット３２０Pは、金属配線部材がプラスチック等の絶縁部材により被覆されており、曲げに対して柔軟性を有する構成となっている。
【００５８】
上記の充電源接続機能ユニット３１０Pの受電コネクタは、図６（Ｂ）に示されるように、接地用端子Ｃ２と、充電用端子Ｃ１とを備えている。
【００５９】
そして、接地用端子Ｃ２が、オプション配線ユニット３２０Pを介して、雄コネクタ３３０の端子Ｊ４と接続されている。また、充電用端子Ｃ１が、オプション配線ユニット３２０Pを介して、雄コネクタ３３０の端子Ｊ１と接続されている。
【００６０】
このため、雄コネクタ３３０が、雌コネクタ２３０L，２３０Rのいずれかに嵌め込まれた状態で、充電源接続機能ユニット３１０Pを利用して充電源と接続すると、上述した本体部２００のバッテリユニット２４０への充電を行うことができる。
【００６１】
＜複合ユニット３００Cの構成＞
上記の複合ユニット３００Cは、図７（Ａ）に示されるように、上述したイヤフォン機能ユニット３１０E及びマイクロフォン機能ユニット３１０Mと、オプション配線ユニット３２０Cと、雄コネクタ３３０とを備えている。
【００６２】
上記のオプション配線ユニット３２０Cは、金属配線部材がプラスチック等の絶縁部材により被覆されており、柔軟に曲げることができる構成となっている。
【００６３】
そして、図７（Ｂ）に示されるように、スピーカＳＰの接地用端子が、オプション配線ユニット３２０Cを介して、雄コネクタ３３０の端子Ｊ４と接続されている。また、スピーカＳＰの出力音声信号入力端子が、オプション配線ユニット３２０Cを介して、雄コネクタ３３０の端子Ｊ２と接続されている。
【００６４】
さらに、マイクロフォンＭＣの接地用端子が、オプション配線ユニット３２０Cを介して、雄コネクタ３３０の端子Ｊ４と接続されている。また、マイクロフォンＭＣの受電用端子が、オプション配線ユニット３２０Cを介して、雄コネクタ３３０の端子Ｊ１と接続されている。また、マイクロフォンＭＣの入力音声信号出力端子が、オプション配線ユニット３２０Cを介して、雄コネクタ３３０の端子Ｊ３と接続されている。
【００６５】
このため、雄コネクタ３３０が、雌コネクタ２３０L，２３０Rのいずれかに嵌め込まれた状態で、本体部２００から送られた出力音声信号ＡＯＤを受けると、出力音声信号ＡＯＤに対応する音声が、スピーカＳＰから出力される。
【００６６】
また、雄コネクタ３３０が、雌コネクタ２３０L，２３０Rのいずれかに嵌め込まれた状態では、マイクロフォンＭＣにより集音された音声に対応する入力音声信号ＡＩＤが、本体部２００へ送られる。
【００６７】
＜本体部２００とオプションユニット３００との接続例＞
【００６８】
図８には、本体部２００に、イヤフォンユニット３００E及びマイクロフォンユニット３００Mを接続した例が示されている。図８の接続例によれば、標準的なスピーカマイクの構成を実現することができる。
【００６９】
図９には、本体部２００に、充電源接続ユニット３００Pを接続した例が示されている。図９の接続例によれば、本体部２００のバッテリユニット２４０への充電をするための構成を実現することができる。
【００７０】
図１０には、本体部２００に、イヤフォンユニット３００E及び複合ユニット３００Cを接続した例が示されている。図１０の接続例によれば、両耳聴取のスピーカマイクの構成を実現することができる。
【００７１】
［動作］
次に、上記のように構成されたヘッドセット１００の動作について、制御部２１２により実行される制御処理に主に着目して説明する。なお、当初においては、バッテリユニット２４０からは、制御部２１２以外には動作電力の給電が行われていないものとする。
【００７２】
かかる当初状態において、ユーザが入力部２５０の押下スイッチを第１所定時間（例えば、２秒程度）押下すると、制御部２１２は、制御部２１２以外へも給電を行うべき旨のバッテリ制御信号ＢＣＳを生成し、バッテリユニット２４０へ送る。この結果、バッテリユニット２４０から制御部２１２以外への給電が開始される。そして、第２所定時間（例えば、１秒程度）が経過すると、制御部２１２は、表示部２６０のＬＥＤを青く点灯させる表示信号ＤＳＳを生成し、表示部２６０へ送る。この結果、表示部２６０のＬＥＤが青く点灯し、給電が必要な要素への給電が開始されたことがユーザに提示される。
【００７３】
こうした給電状態を確認したユーザが入力部２５０の押下スイッチの押下を止めた後、再度、ユーザが入力部２５０の押下スイッチを押下すると、制御部２１２は、ＢＴ通信部２１１を利用した、一の外部装置とのペアリング確立処理を開始する。そして、ペアリング確立処理を開始すると、制御部２１２は、表示部２６０のＬＥＤを赤と青とに点滅させる表示信号ＤＳＳを生成し、表示部２６０へ送る。この結果、表示部２６０のＬＥＤが赤と青との点滅を行い、ペアリング確立処理中であることがユーザに提示される。
【００７４】
ペアリングが確立すると、制御部２１２は、表示部２６０のＬＥＤを青で３回点滅させる表示信号ＤＳＳを生成し、表示部２６０へ送る。この結果、表示部２６０のＬＥＤが青で３回点滅し、ペアリングが確立したことがユーザに提示される。
【００７５】
ペアリング確立中は、制御部２１２は、ＢＴ通信のＳＰＰを利用して、模擬ＰＴＴ動作で音声データの送受信のための無線通信制御処理を行う。そして、模擬ＰＴＴ動作中に受信音声データＲＳＤをＢＴ通信部２１１から受けると、当該受信音声データＲＳＤに対応する出力音声信号ＡＯＤを生成する。そして、制御部２１２は、生成された出力音声信号ＡＯＤを、本体配線ユニット２２０L，２２０Rを介して、雌コネクタ２３０L，２３０Rの双方の端子Ｐ２へ供給する。この結果、本体部２００に、イヤフォンユニット３００E又は複合ユニット３００Cが接続されている場合には、イヤフォンユニット３００E又は複合ユニット３００CにおけるスピーカＳＰから、出力音声信号ＡＯＤに対応する音声が出力される。
【００７６】
また、模擬ＰＴＴ動作中に入力音声信号ＡＩＤが雌コネクタ２３０L，２３０Rのいずれか介して入力すると、当該入力音声信号ＡＩＤに対応する送信音声データＳＤＤを生成する。そして、制御部２１２は、生成された送信音声データＳＤＤをＢＴ通信部２１１へ送る。この結果、ペアリングが確立している外部装置へ音声データが送信される。
【００７７】
なお、スピーカＳＰから出力される音量は、模擬ＰＴＴ動作中における短時間の入力部２５０の押下スイッチの押下によって調整される。ここで、模擬ＰＴＴ動作の開始時には、制御部２１２は、音量を最大設定音量とする。そして、短時間の押下スイッチの押下が行われると、制御部２１２は、音量を最小設定音量とする。
【００７８】
以後、短時間の押下スイッチの押下が行われるたびに、制御部２１２は、音量を増加させる。なお、短時間の押下スイッチが所定回数（例えば、６回）に達すると、制御部２１２は、音量を最大設定音量に戻すようになっている。
【００７９】
上述したペアリングに失敗すると、制御部２１２は、表示部２６０のＬＥＤを青で２回点滅させる表示信号ＤＳＳを生成し、表示部２６０へ送る。この結果、表示部２６０のＬＥＤが青で２回点滅し、ペアリングに失敗したことがユーザに提示される。
【００８０】
上記の給電が必要な要素への給電が行われているいずれの状態であっても、ユーザが入力部２５０の押下スイッチを第３所定時間（例えば、５秒程度）押下すると、制御部２１２は、制御部２１２以外への給電を中止すべき旨のバッテリ制御信号ＢＣＳを生成し、バッテリユニット２４０へ送る。この結果、バッテリユニット２４０から制御部２１２以外への給電が中止される。
【００８１】
引き続き、制御部２１２は、表示部２６０のＬＥＤを赤で３回点滅させる表示信号ＤＳＳを生成し、表示部２６０へ送る。この結果、制御部２１２以外への給電を中止したことがユーザに提示される。
【００８２】
以上説明したように、本実施形態のヘッドセット１００は、本体部２００と；本体部２００を着脱自在に保持するケース２９０と；を備え、本体部２００は、ＢＴ通信のシリアル・ポート・プロファイルを利用して、外部装置との間で、プッシュ・トゥ・トーク方式に従ったモーメンタリ動作での音声データの送受信を行う通信処理ユニットと２１０；一端側が通信処理ユニット２１０に電気的接続され、他端側には、オプションユニット接続用コネクタ２３０L，２３０Rが接続された２つの本体配線ユニット２２０L，２２０Rと；通信処理ユニット２１０、及び、必要に応じてオプションユニット３００に動作電力を供給する充電可能なバッテリユニット２４０と；を備える。
【００８３】
ヘッドセット１００では、通信処理ユニット２１０が、ＰＴＴ方式に従ったモーメンタリ動作での音声データの送受信機能を有し、ヘッドセット１００との間でペアリングが確立された外部装置との間で、ＢＴ通信のＳＰＰを利用して、音声データの送受信のための無線通信を行う。このため、簡易な構成で、ＰＴＴ方式と同等の動作での音声データの送受信を外部装置との間で行うことができる。
【００８４】
ヘッドセット１００は、一端側が通信処理ユニット２１０に電気的接続され、他端側には、オプションユニット接続用コネクタ２３０L，２３０Rが接続された２つの本体配線ユニット２２０L，２２０Rを備える。ここで、オプションユニット接続用コネクタを利用して接続されるオプションユニット３００は、オプション機能ユニットと；一端側が前記オプション機能ユニットに電気的接続され、他端側には、オプションユニット接続用コネクタ２３０L，２３０Rに着脱自在に嵌め込み可能な本体接続用コネクタ３３０が接続されたオプション配線ユニットと；を備え、本体接続用コネクタ３１０がオプション接続用コネクタ２３０L，２３０Rに嵌め込まれている状態では、オプション機能ユニットが、本体部２００と電気的接続されるようになっている。このため、最大２つの任意のオプションユニット３００を本体部２００に接続することができる。
【００８５】
オプション機能ユニットとしては、イヤフォン機能ユニット３１０E、マイクロフォン機能ユニット３１０M若しくは充電源接続機能ユニット３１０P、又は、これらの組み合わせが挙げられる。本体部２００に接続する一のオプションユニットとして、イヤフォン機能ユニット３１０Eを有するイヤフォンユニット３００Eを選択し、他のオプションユニットとして、マイクロフォン機能ユニット３１０Mを有するマイクロフォンユニット３００Mを選択した場合には、標準的なスピーカマイクの構成を実現することができる。
【００８６】
また、本体部２００に接続するオプションユニットとして、充電源接続機能ユニット３１０Pを有する充電源接続ユニット３００Pを選択すれば、バッテリユニット２４０への充電を行うことができる。さらに、本体部２００に接続する一のオプションユニットとして、イヤフォンユニット３００Eを選択し、他のオプションユニットとして、イヤフォン機能ユニット３１０E及びマイクロフォン機能ユニット３１０Mの双方を有する複合ユニット３００Cを選択した場合には、両耳聴取のスピーカマイクの構成を実現することができる。
【００８７】
また、ヘッドセット１００では、本体部２００が、通信処理ユニット２１０の動作モードの設定入力が行われる入力部２５０と；通信処理ユニット２１０の動作モードを表示する表示部２６０と；を更に備えている。このため、表示部２６０による動作モードの表示を確認しながら、入力部２５０を操作することにより、通信処理ユニット２１０の動作モードを設定することができる。
【００８８】
また、ヘッドセット１００では、入力部２５０が１個の押下スイッチを備え、表示部２６０が１個の２色ＬＥＤを備える。そして、通信処理ユニット２１０が、押下スイッチの押下時間と押下回数との組み合わせに応じて、動作モードが変化し、当該動作モードが変化したことを、２色ＬＥＤの点灯色と点滅回数との組み合わせによって表示する。このため、入力部２５０及び表示部２６０を最小限の要素により構成しつつ、ヘッドセット１００として必要な動作モードの設定を行えるようにすることができるとともに、入力部２５０への誤操作を防止することができる。
【００８９】
また、ヘッドセット１００では、通信処理ユニット２１０が、曲率半径が人の首回りの半径に対応した値の曲板状の外形を有している。このため、本体部２００をケース２９０に保持した状態で、ユーザが装着することもできるし、ケース２９０を用いずに、本体部２００をユーザのワイシャツ等の襟下に装着するようにすることができる。
【００９０】
[実施形態の変形]
本考案は、上記の実施形態に限定されるものではなく、様々な変形が可能である。
【００９１】
例えば、上記の実施形態では、オプションユニットとして、イヤフォンユニット、マイクロフォンユニット、充電源接続ユニット及び複合ユニットを備えるようにしたが、他の種類のオプションユニットを更に備えるようにしてもよい。
【００９２】
また、上記の実施形態では、入力部が備える押下スイッチの数を１個としたが、複数個の押下スイッチを備えるようにしてもよい。
【００９３】
また、上記の実施形態では、表示部が１個の２色ＬＥＤを備えるようにしたが、複数個単色のＬＥＤを備えるようにしてもよい。
【産業上の利用可能性】
【００９４】
以上説明したように、本考案のヘッドセットは、外部装置との通信を無線で行うヘッドセットに適用することができる。
【符号の説明】
【００９５】
１００           …  ヘッドセット
２００           …  本体部
２１０           …  通信処理ユニット
２１１           …  ＢＴ通信部
２１２           …  制御部
２２０L，２２０R  …  本体配線ユニット
２３０L，２３０R  …  オプションユニット接続用コネクタ
２４０           …  バッテリユニット
２５０           …  入力部
２６０           …  表示部
３００E          …  イヤフォンユニット（オプションユニット）
３００M          …  マイクロフォンユニット（オプションユニット）
３００P          …  充電源接続ユニット（オプションユニット）
３００C          …  複合ユニット（オプションユニット）
３１０E          …  イヤフォン機能ユニット（オプション機能ユニット）
３１０M          …  マイクロフォン機能ユニット（オプション機能ユニット）
３１０P          …  充電源接続機能ユニット（オプション機能ユニット）
３２０E          …  オプション配線ユニット
３２０M          …  オプション配線ユニット
３２０P          …  オプション配線ユニット
３２０C          …  オプション配線ユニット
３３０           …  本体接続用コネクタ
４００           …  組立体
ＳＰ             …  スピーカ
ＭＣ             …  マイクロフォン
【図１】
0003210457.tif 000003
【図２】
0003210457.tif 000004
【図３】
0003210457.tif 000005
【図４】
0003210457.tif 000006
【図５】
0003210457.tif 000007
【図６】
0003210457.tif 000008
【図７】
0003210457.tif 000009
【図８】
0003210457.tif 000010
【図９】
0003210457.tif 000011
【図１０】
0003210457.tif 000012